【事件の表示】
　特願２００２−３１２３６３「表示駆動方法及び表示装置」拒絶査定不服審判事件〔平成１６年　５月２０日出願公開、特開２００４−１４５１８６〕について、次のとおり審決する。
【結　論】
　本件審判の請求は、成り立たない。
【理　由】
　第１　手続の経緯
　　　　本件は、平成１４年１０月２８日にされた特許出願（特願２００２−３１２３６３号。以下「本件出願」という。）であって、平成１７年１１月１７日付け（発送日：同月２２日）で拒絶査定がなされ、これに対して、同年１２月２２日に拒絶査定不服審判請求がなされたものである。
　
　第２　本件出願に係る発明
　　　　本件出願の請求項に係る発明は、平成１７年１月２１日付け手続補正書及び同年６月１３日付け手続補正書により補正された明細書及び図面の記載からみて、その特許請求の範囲の請求項１ないし４に記載された事項により特定されるとおりのものと認められるところ、その請求項１に記載された発明（以下「本願発明」という。）は、次のとおりである。
「【請求項１】ＰＷＭ制御される単純マトリクスディスプレイの表示駆動方法において、
　走査電極が順次走査されるそれぞれの走査期間に、前寄せＰＷＭ信号電圧が印加される信号電極と後寄せＰＷＭ信号電圧が印加される信号電極とが等しい数になるように設定され、
  奇数番もしくは偶数番信号電極へのＰＷＭ信号電圧として、奇数番走査電極が選択されている走査期間に対して後寄せであり、偶数番走査電極が選択されている走査期間に対して前寄せである後／前寄せ組み合わせの後／前寄せ信号電圧を発生させる一方、偶数番もしくは奇数番信号電極へのＰＷＭ信号電圧として、奇数番走査電極が選択されている走査期間に対して前寄せであり、偶数番走査電極が選択されている走査期間に対して後寄せである前／後寄せ組み合わせの前／後寄せ信号電圧を発生させるとともに、
　前記奇数番もしくは偶数番信号電極には、フレーム周期によらずに前記後／前寄せ信号電圧を印加する一方、前記偶数番もしくは奇数番信号電極には、フレーム周期によらずに前記前／後寄せ信号電圧が印加されることを特徴とする表示駆動方法。」
　
　第３　引用刊行物に記載された発明
　　　　原査定の拒絶の理由に引用された刊行物の一部である特開平４−３７１９９５号公報（以下「刊行物」という。）には、図面とともに、以下のような記載がされている。
　１　「【請求項１】　少なくとも、走査電極の形成された基板と信号電極の形成された基板間に液晶を挾持した液晶素子をマルチプレクス駆動する方法に於て、信号電極に同時に印加する信号電極波形として波形Ａと波形Ｂの数がほぼ同数となるようにしたことを特徴とする液晶素子の駆動方法。」
　
　２　「【０００２】　【従来の技術】従来の電圧平均化法によるマルチプレクス駆動でパルス幅変調による駆動方法の駆動波形を図８に示す。
【０００３】　【発明が解決しようとする課題】この様な駆動方法では、図８のＡやＢで示す部分のように一つの走査電極上のほとんどすべての画素が同じ表示だった場合走査電極上に発生するスパイク電圧が非常に大きくなってしまいクロストークが激しくなる。また、スパイク電圧を補正しようとしてもスパイク電圧が大きすぎて補正しきれない。」
　
　３　「【０００６】（実施例１）図１及び図２は、実施例１における駆動方法の一例を示す駆動波形であり、図６が各表示データにおける階調パルス波形の一例を示す図でｔ７で示す期間がＯＮパルスの幅で、データ（００００）の時のＯＮパルスの幅がいちばん狭くなり、データが（０００１），（００１０）と大きくなるに連れてＯＮパルスの幅がしだいに大きくなりデータが（１１１１）の時のＯＮパルスの幅がいちばん広い。そして、波形Ａでは階調パルス波形の右端を基準としてＯＮパルスの幅が左に広がるようにし、波形Ｂでは階調パルス波形の左端を基準としてＯＮパルスの幅が右に広がるようにしている。また、波形Ａと波形Ｂの立ち上がりあるいは立ち下がりのタイミングについて詳しくみると図７に示すようになり、ｔ４の期間が選択期間で、７０２〜７０７で示す波形が波形Ａで７０２がデータ（００００）、７０３がデータ（０００１）、７０４がデータ（００１０）、７０５がデータ（１１０１）、７０６がデータ（１１１０）、７０７がデータ（１１１１）で、７０８〜７１３で示す波形が波形Ｂで７０８がデータ（００００）、７０９がデータ（０００１）、７１０がデータ（００１０）、７１１がデータ（１１０１）、７１２がデータ（１１１０）、７１３がデータ（１１１１）の時の波形を示し、波形Ａの７０２と波形Ｂの７１３、波形Ａの７０３と波形Ｂの７１２、波形Ａの７０４と波形Ｂの７１１の様に波形Ａと波形Ｂの立ち上がりと立ち下がりのタイミングがほぼ一致するようにしている。そして、液晶素子に印加される電圧の極性が同じ期間は波形Ａと波形Ｂを交互に繰り返している。」
　
　４　「【０００８】図５（ａ）の各画素のうちＡで示す画素の表示データは（０１１１）、Ｂで示す画素の表示データは（１０００）、Ｃで示す画素の表示データは（１０００）、Ｄで示す画素の表示データは（０１１１）であるとすると、走査電極ドライバ５０１の出力５０４の波形が図１の走査電極波形１０１で、信号電極ドライバ５０２の出力５０５が信号電極波形１０２、５０６が信号電極波形１０３で、信号電極ドライバ５０３の出力５０７が信号電極波形１０４、５０８が信号電極波形１０５の様になる。そして、信号電極ドライバ５０２が波形Ａのときは５０３は波形Ｂで５０２が波形Ｂのときは５０３は波形Ａが出力される。」
　
　５　「【００１０】次に、図２に示す駆動波形について説明する。図１の駆動波形との違いは一つの信号電極波形の中で波形Ａと波形Ｂが交互に繰り返されるのではなくて、少なくても一フレ−ム期間の中では波形Ａだけあるいは波形Ｂだけとなる駆動波形である。図２で示す各駆動波形を図５（ａ）に示す液晶ディスプレイモジュールの各電極に印加したときを例にして説明する。」
　
　６　「【００１４】尚、上記の説明では図５（ａ）の様な構成の液晶ディスプレイモジュールについて説明したが、図５（ｂ）で示すように信号電極ドライバ５１２から出力される信号電極波形が波形Ａの時信号電極ドライバ５１３から出力される信号電極波形が波形Ｂで信号電極に対して波形Ａと波形Ｂが交互に印加されるようにしても同じ効果がある。このように、波形Ａと波形Ｂの数がほぼ同じであれば信号電極に印加する順番はどのような組合せでもほぼ同じ効果が得られる。・・・。」
　
　７　図面の図１には、走査電極波形（１０１）と信号電極波形（１０２〜１０６）が描かれており、例えば、信号電極波形１０２においては、ｎ（ｎは、奇数の自然数。）フレーム周期における走査電極波形が正極性である選択期間ｔ２において、階調パルス波形が右端を基準としてＯＮパルスの幅が左に広がるようにした波形Ａを印加し、ｎ＋１フレーム周期における走査電極波形が負極性である選択期間においては、階調パルス波形が左端を基準としてＯＮパルスの幅が右に広がるようにした波形Ｂを印加し、信号電極波形１０４においては、ｎフレーム周期における走査電極波形が正極性である選択期間ｔ２において、階調パルス波形が左端を基準としてＯＮパルスの幅が右に広がるようにした波形Ｂを印加し、ｎ＋１フレーム周期における走査電極波形が負極性である選択期間においては、階調パルス波形が右端を基準としてＯＮパルスの幅が左に広がるようにした波形Ａを印加するようにしてなる構成が読み取れる。
　
　８　図１記載の駆動波形は、図５（ａ）に記載された液晶ディスプレイモジュールに対応したものであるが、図５（ｂ）に記載された液晶ディスプレイモジュールに対応した駆動波形として、ｎフレーム周期における奇数番の信号電極波形においては、走査電極波形が正極性である選択期間ｔ２において、階調パルス波形が右端を基準としてＯＮパルスの幅が左に広がるようにした波形Ａを印加し、ｎ＋１フレーム周期における走査電極波形が負極性である選択期間においては、階調パルス波形が左端を基準としてＯＮパルスの幅が右に広がるようにした波形Ｂを印加し、ｎフレーム周期における偶数番の信号電極波形においては、走査電極波形が正極性である選択期間ｔ２において、階調パルス波形が左端を基準としてＯＮパルスの幅が右に広がるようにした波形Ｂを印加し、ｎ+1フレーム周期における走査電極波形が負極性である選択期間においては、階調パルス波形が右端を基準としてＯＮパルスの幅が左に広がるようにした波形Ａを印加するようにしてなる構成が認められる。
　
　９　図５（ａ）又は（ｂ）には、単に信号電極（５１０）と走査電極（５０９）とが直交して設けられてなる液晶ディスプレイモジュールが記載されていることから、単純マトリクスディスプレイの構成が読み取れる。
　
　上記摘記事項を総合的に勘案すると、刊行物には、以下の発明（以下「刊行物発明」という。）が記載されている。
「ＯＮパルスの幅で制御される単純マトリクスディスプレイの表示駆動方法において、
　走査電極（５０９）が順次走査されるそれぞれの期間に、右端を基準としてＯＮパルスの幅が左に広がるようにした波形Ａが印加される信号電極（５１０）と、左端を基準としてＯＮパルスの幅が右に広がるようにした波形Ｂが印加される信号電極（５１０）とが等しい数になるように設定され、
　奇数番信号電極への信号電圧として、奇数番走査電極が選択さている走査期間に対しては右端を基準としてＯＮパルスの幅が左に広がるようにした波形Ａを印加し、偶数番走査電極が選択されている走査期間に対しては左端を基準としてＯＮパルスの幅が右に広がるようにした波形Ｂを印加することにより、波形Ａと波形Ｂを交互に繰り返す信号電圧を発生させる一方、偶数番信号電極への信号電圧として、奇数番走査電極が選択さている走査期間に対しては左端を基準としてＯＮパルスの幅が右に広がるようにした波形Ｂを印加し、偶数番走査電極が選択されている走査期間に対しては右端を基準としてＯＮパルスの幅が左に広がるようにした波形Ａを印加することにより、波形Ｂと波形Ａを交互に繰り返す信号電圧を発生させるとともに、
　前記奇数番信号電極には、ｎフレーム周期に前記波形Ａと波形Ｂを交互に繰り返す信号電圧を印加し、ｎ＋１フレーム周期には波形Ｂと波形Ａを交互に繰り返す信号電圧を印加する一方、前記偶数番信号電極には、ｎフレーム周期に前記波形Ｂと波形Ａを交互に繰り返す信号電圧を印加し、ｎ＋１フレーム周期には波形Ｂと波形Ａを交互に繰り返す信号電圧を印加するようにしてなる表示駆動方法。」
　
　第４　対比
　　　　本願発明と刊行物発明とを対比すると、刊行物発明の「ＯＮパルスの幅で制御される単純マトリクスディスプレイ」、「左端を基準としてＯＮパルスの幅が右に広がるようにした波形Ｂ」、「右端を基準としてＯＮパルスの幅が左に広がるようにした波形Ａ」、「波形Ａと波形Ｂを交互に繰り返す信号電圧」、「波形Ｂと波形Ａを交互に繰り返す信号電圧」は、それぞれ本願発明の「ＰＷＭ制御される単純マトリクスディスプレイ」、「前寄せＰＷＭ信号電圧」、「後寄せＰＷＭ信号電圧」、「後／前寄せ信号電圧」、「前／後寄せ信号電圧」に相当するから、両者は、
　＜一致点＞
「ＰＷＭ制御される単純マトリクスディスプレイの表示駆動方法において、
　走査電極が順次走査されるそれぞれの走査期間に、前寄せＰＷＭ信号電圧が印加される信号電極と後寄せＰＷＭ信号電圧が印加される信号電極とが等しい数になるように設定され、
  奇数番信号電極へのＰＷＭ信号電圧として、奇数番走査電極が選択されている走査期間に対して後寄せであり、偶数番走査電極が選択されている走査期間に対して前寄せである後／前寄せ組み合わせの後／前寄せ信号電圧を発生させる一方、偶数番信号電極へのＰＷＭ信号電圧として、奇数番走査電極が選択されている走査期間に対して前寄せであり、偶数番走査電極が選択されている走査期間に対して後寄せである前／後寄せ組み合わせの前／後寄せ信号電圧を発生させる表示駆動方法」である点で一致し、
　
　＜相違点＞
　本願発明では、「奇数番信号電極には、フレーム周期によらずに後／前寄せ信号電圧を印加する一方、偶数番信号電極には、フレーム周期によらずに前／後寄せ信号電圧が印加される」構成であるのに対して、刊行物発明では、「奇数番信号電極には、ｎフレーム周期に後／前寄せ信号電圧を印加し、ｎ＋１フレーム周期には前／後寄せ信号電圧を印加する一方、偶数番信号電極には、ｎフレーム周期に前／後寄せ信号電圧を印加し、ｎ＋１フレーム周期には後／前寄せ信号電圧を印加する」ような構成である点で相違している。
　
　第５　判断
        上記相違点について検討する。
 　上記相違点に係る本願発明の構成である「奇数番信号電極には、フレーム周期によらずに後／前寄せ信号電圧を印加する一方、偶数番信号電極には、フレーム周期によらずに前／後寄せ信号電圧が印加される（以下「周知技術」という。）」構成は、周知である。
　例えば、特開平４−５０９１９号公報（以下「周知技術１」という。）には、「第２図は本発明の液晶表示装置駆動方法の第二の実施例における印加電圧波形図で、同図（ａ）、（ｂ）は走査電極印加電圧波形図、同図（ｃ）、（ｄ）は信号電極印加電圧波形図、同図（ｅ）、（ｆ）、（ｇ）、（ｈ）は各画素に印加される電圧波形図でそれぞれ第２図の走査電極印加電圧波形図（ａ）と（ｃ）、（ａ）と（ｄ）、（ｂ）と（ｃ）、（ｂ）と（ｄ）の電位差である。（公報第２頁右下欄第１４行−同頁同欄第２０行）」と記載されており、第２図からは、フレーム周期によらずに信号電圧を印加する順序を後／前寄せ信号電圧、又は、前／後寄せ信号電圧に固定したような構成が読み取れる。
　特開平８−４４３１７号公報（以下「周知技術２」という。）には、「【００４９】液晶パネル１の表示を１水平走査期間毎にＯＮ→ＯＦＦの順に切り替える場合の信号電圧は、同図の（ｃ）に示すように、ＯＮ表示の場合の第１の水平走査期間とＯＦＦ表示の場合の第２の水平走査期間とが組み合わされた状態になる。逆に、液晶パネル１の表示を１水平走査期間毎にＯＦＦ→ＯＮの順に切り替える場合の信号電圧は、同図の（ｄ）に示すように、ＯＦＦ表示の場合の第１の水平走査期間とＯＮ表示の場合の第２の水平走査期間とが組み合わされた状態になる。　【００５０】ここで、上記のように構成される液晶表示装置により、図１１に示す表示例のように表示を行なう場合について、走査電極Ｙ3 と信号電極Ｘ1 〜Ｘ4 との交点の画素の駆動を例にとって説明する。なお、同図において、●はＯＦＦ表示を示し、○はＯＮ表示を示している。　【００５１】まず、走査電極Ｙ3 に印加される走査電圧および信号電極Ｘ1 〜Ｘ4 に印加される信号電圧は、各表示パターンに応じてそれぞれ図６の（ａ）ないし（ｄ）に示すようになる。同図から分かるように、第１フレームおよび第２フレームにおいては、信号電圧のＯＮレベル⇔ＯＦＦレベルの切り替え箇所の数がほぼ同じになっている。」と記載されており、図６からは、フレーム周期によらずに信号電圧を印加する順序を後／前寄せ信号電圧、又は、前／後寄せ信号電圧に固定したような構成が読み取れる。
　
　してみると、上記刊行物発明と上記周知技術は、ともに液晶素子の駆動方法において、信号電圧を後／前寄せ信号電圧、又は前／後寄せ信号電圧として印加する構成を採用することにより表示品位の向上を図った技術に関する発明である点で共通しているところ、表示品位の向上を図るために、「奇数番信号電極には、ｎフレーム周期に後／前寄せ信号電圧を印加し、ｎ＋１フレーム周期には前／後寄せ信号電圧を印加する一方、偶数番信号電極には、ｎフレーム周期に前／後寄せ信号電圧を印加し、ｎ＋１フレーム周期には後／前寄せ信号電圧を印加する」構成とするか、「フレーム周期によらずに信号電圧を印加する順序を後／前寄せ信号電圧、又は、前／後寄せ信号電圧に固定したような構成」とするかは、両構成のどちらの構成を採用したとしても格段の差異はなく、また、必要回路数などにおいても特段の相違を有しているとは認められない。さらに、上記両構成は、表示品位の向上を図るとの技術課題を解決するために取り得ることができる２つの構成のうちのそれぞれ１つの構成にすぎず、どちらの構成を採用したとしても特段に技術的な差異を有するものでもない。
　よって、上記刊行物発明において、「奇数番信号電極には、ｎフレーム周期に後／前寄せ信号電圧を印加し、ｎ＋１フレーム周期には前／後寄せ信号電圧を印加する一方、偶数番信号電極には、ｎフレーム周期に前／後寄せ信号電圧を印加し、ｎ＋１フレーム周期には後／前寄せ信号電圧を印加する」構成に代えて、「フレーム周期によらずに信号電圧を印加する順序を後／前寄せ信号電圧、又は、前／後寄せ信号電圧に固定したような構成」とすることは、実施時において当業者が適宜選択しうる程度の設計的事項にすぎない。よって、上記刊行物発明に上記周知技術の構成を採用して、上記相違点に係る本願発明のように構成することは、当業者が容易に想到することができたものである。
　
　そして、本願発明の作用効果も、刊行物発明及び周知技術から当業者が予測できる範囲のものである。
　したがって、本願発明は、刊行物発明及び周知技術に基づいて、当業者が容易に発明をすることができたものである。
　
　第６　まとめ
        以上のとおりであるから、本件出願の請求項１に係る発明である本願発明は特許法第２９条第２項の規程により特許をすることができないものであり、その余の請求項に係る発明についての判断を示すまでもなく、本件出願は、拒絶をすべきものである。
　　　　よって、結論のとおり結審する。